(57)【特許請求の範囲】
【請求項１】
冷却材又は蓄熱材を有する体温調節パッドを備える衣服であって、
着用時に人体の背中に当接する後身頃、前記後身頃の下方における左右方向の両端側から外側へ延出する側面部、及び前記後身頃の上部で左右方向の両端側から前記側面部の上縁に接続され、長さ調節機構を有する肩紐部を有する衣服本体と、
前記体温調節パッドを収容するとともに前記衣服本体に着脱可能な体温調節パッド収容部と、を有し、
前記側面部は、前記長さ調節機構により前記肩紐部の長さを調節することで、前記上縁が前記人体の脇の下に対応するように位置調節可能であり、
前記衣服本体の内面には、前記体温調節パッド収容部が係合可能な係合部が設けられ、
該係合部は、前記側面部に、前記体温調節パッド収容部と係合する第１係合部を有し、
前記第１係合部は、前記体温調節パッド収容部の外形に対応した形状を有し、
前記体温調節パッド収容部は、前記第１係合部に係合可能な第１収容部を有し、
前記第１収容部は、係合した状態で前記脇の下に沿って湾曲する第１側縁と、前記第１側縁から前記側面部の下縁側に向かって前記第１側縁よりも長く延びるように湾曲する第２側縁と、前記第１側縁及び前記第２側縁の端部と接続する第３側縁と、を有する、衣服。
【請求項２】
前記係合部は、前記衣服本体の内面における後身頃の上部に配置される第２係合部を有する、請求項１に記載の衣服。
【請求項３】
前記体温調節パッド収容部は、前記第２係合部に係合可能な第２収容部を備え、
該第２収容部は、前記体温調節パッドを前記衣服本体における左右方向の一方及び他方に配置する一対の収容室と、該一対の収容室の間で上下方向に延びるパッド不配置領域と、を有する、請求項２に記載の衣服。
【請求項４】
前記係合部は、前記体温調節パッド収容部を取り付けるための位置を案内する位置表示部を有し、
前記衣服本体は、着用者の体型に応じて寸法が変更される、請求項１〜３いずれか１項に記載の衣服。
【請求項５】
前記体温調節パッドは、前記第１収容部の外形に対応した形状を有する、請求項１〜４いずれか１項に記載の衣服。
【発明の詳細な説明】
【技術分野】
【０００１】  本発明は、人体等の体温を調節するための体温調節パッドを備える衣服に関する。
【背景技術】
【０００２】  従来、高温又は低温下の環境で作業を行う等、人体等の体温を冷却又は加温する必要がある場合に、冷却材や蓄熱材を収容したパッドを、人体等の任意の位置に当てられるように構成した衣服が知られている（例えば、特許文献１参照）。この衣服では、衣服の内面に上下に延びる面ファスナが複数取り付けられている。また、体温調節パッドが袋状の収容部に収納され、この収容部の裏面に面ファスナが設けられている。収容部の面ファスナを衣服側の面ファスナに係合させることで、収容部を人体等の任意の位置に当接させることができるように構成されている。
【先行技術文献】
【特許文献】
【０００３】
【特許文献１】特開２００７−１６９８５８号公報
【発明の概要】
【発明が解決しようとする課題】
【０００４】  しかし、特許文献１に記載の技術では、衣服側の面ファスナは縦に複数条上下に延びるとともに、左右に離間して設けられている。また、収容部は、長方形のパッドに合わせた長方形の袋体で構成されている。このような構成の場合、人体は実際には曲線的な形状を有するものであるから、収容部が人体にフィットしにくいという問題があった。  また、人体には効率的に体温を調節する際に有効な、太い動脈があるが、上記の技術では、かかる部位に適合するように装着することが難しい場合があった。【０００５】  そこで、本発明は、人体にフィットしかつ効率的に体温を調節することができる体温調節パッドを備える衣服を提供することを目的とする。
【課題を解決するための手段】
【０００６】  本発明は、冷却材又は蓄熱材を有する体温調節パッドを備える衣服であって、衣服本体と、前記体温調節パッドを収容するとともに前記衣服本体に着脱可能な体温調節パッド収容部と、を有し、前記衣服本体の内面には、前記体温調節パッド収容部が係合可能な係合部が設けられ、該係合部は、前記衣服本体における少なくとも人体の脇の下に対応する側面部に、前記体温調節パッド収容部と係合する第１係合部を有し、前記第１係合部は、前記体温調節パッド収容部の外形に対応した形状を有する、衣服に関する。【０００７】  また、前記体温調節パッド収容部は、前記第１係合部に係合可能であるとともに、係合した状態で前記脇の下に対応する側縁が湾曲する第１側縁を有する第１収容部を備えることが好ましい。【０００８】  また、前記係合部は、前記衣服本体の内面における後身頃の上部に配置される第２係合部を有することが好ましい。【０００９】  また、前記体温調節パッド収容部は、前記第２係合部に係合可能な第２収容部を備え、  該第２収容部は、前記体温調節パッドを前記衣服本体における左右方向の一方及び他方に配置する一対の収容室と、該一対の収容室の間で上下方向に延びるパッド不配置領域と、を有することが好ましい。【００１０】  また、前記係合部は、前記体温調節パッド収容部を取り付けるために最適の位置を示す位置表示部を有し、  前記衣服本体は、着用者の体型に応じて寸法が変更されることが好ましい。
【発明の効果】
【００１１】  本発明によれば、体にフィットしかつ効率的に体温を調節することができる体温調節パッドを備える衣服を提供することができる。
【図面の簡単な説明】
【００１２】
【図１】本実施形態における体温調節パッドを備える衣服を示す正面図である。
【図２】本実施形態における衣服本体の正面図である。
【図３Ａ】本実施形態における第１収容部の表面を示す図である。
【図３Ｂ】本実施形態における第１収容部の裏面を示す図である。
【図４Ａ】本実施形態における第２収容部の表面を示す図ある。
【図４Ｂ】本実施形態における第２収容部の裏面を示す図である。
【図５】本実施形態における体温調節パッドの正面図である。
【図６】本実施形態における体温調節パッドを備える衣服を着用した人間を示す正面斜視図である。
【図７】本実施形態における体温調節パッドを備える衣服を着用した人間を示す背面図である。
【図８Ａ】他の実施形態における第２収容部の表面を示す図である。
【図８Ｂ】他の実施形態における第２収容部の裏面を示す図である。
【発明を実施するための形態】
【００１３】  以下、本発明の好ましい実施形態について、図面を参照しながら説明する。  図１は、体温調節パッドを備える衣服の正面図である。本実施形態では、衣服は、袖のない胴衣１である場合を例として説明する。胴衣１は、衣服本体１０と、体温調節パッド収容部２０と、を有する。  なお、体温調節パッド５は、後に詳述するが、内部に冷却材としての保冷剤４を収容したパッドである。
【００１４】  衣服本体１０は、概ね逆さＴ字状のメッシュ素材で構成され、後身頃１１と、一対の側面部１２と、肩紐部１３と、ベルト部１４と、係合部３０と、を有する。  なお、衣服本体１０の説明において、装着状態における頭部側を上方、足元側を下方とする。また、左右方向とは、人体の正面から見た左右の横方向に延びる方向を意味する。
【００１５】  後身頃１１は、着用時に着用者の背中に当接する縦長の広い面である。  側面部１２は、後身頃１１の下方側における左右方向の両端から外側へ延出する一対の面であり、着用時に人体の脇の下に対応し、人体の側面から前側に当接する。側面部１２は、上縁１２ａと、下縁１２ｂと、前端部１２ｃと、を含む。
【００１６】  上縁１２ａは、後身頃１１の上下方向における略中間部から下方に下り傾斜するように延びる。下縁１２ｂは、上縁１２ａの下方に延び、後身頃１１側から離れるに従って上縁に近付くように傾斜する。前端部１２ｃは、後身頃１１から延出する一対の側面部１２のうちの一方と他方の先端側にあり、着用時に人体の前側で向かい合う。
【００１７】  肩紐部１３は、後身頃１１の上端で左右方向の両端部から、側面部１２の上縁１２ａに接続されるゴムベルトである。肩紐部１３は、移動カン等の長さ調節機構１３０を有する。
【００１８】  ベルト部１４は、一対の側面部１２のそれぞれの前端部１２ｃから延びるゴムベルトである。ベルト部１４は、移動カン等の長さ調節機構１４０を有する。また、ベルト部１４は、一方の側面部１２及び他方の側面部１２から延びるそれぞれの先端にバックル１４１が設けられ、互いに接続されるように構成されている。
【００１９】  図２は、衣服本体１０の正面図である。  係合部３０は、図２に示すように、衣服本体１０の内面に設けられ、後述する体温調節パッド収容部２０が係合可能な部分である。係合部３０は、第１係合部３１と、第２係合部３２と、位置表示部３３と、を有する。
【００２０】  第１係合部３１は、側面部１２の内面に縫合等により取り付けられる面ファスナであり、具体的にはループファスナである。第１係合部３１は、一対の側面部１２のそれぞれに取り付けられ、一対形成される。
【００２１】  第１係合部３１は、図２に示すように、側面部１２の後身頃１１側において、上縁１２ａの基端部から後身頃１１の内側へ向かって膨出するような曲線を描き、下縁１２ｂに達する。第１係合部３１の上縁及び下縁は、側面部の上縁１２ａ及び下縁１２ｂに沿って配置される。第１係合部３１は、後身頃１１から離間した遠位側では、側面部１２の前端部１２ｃまで到達せず、上縁１２ａから緩やかに膨出するような曲線を描き、下縁１２ｂに達する。第１係合部３１は、衣服本体１０の大きさにより寸法は異なるが、着用時に人体の背中側から正面側に至る側面に当接可能な幅の分、後身頃１１から延出する。
【００２２】  第２係合部３２は、衣服本体１０の内面における後身頃１１の上部に配置される面ファスナであり、具体的にはループファスナである。第２係合部３２は、後身頃１１の上部に取り付けられる。  第２係合部３２は、図２に示すように、後身頃１１の幅方向の一方から他方まで延び、上縁が上方に向かって膨出するとともに、下縁が上縁の膨出に対応して上側に凸となる弧を描くように配置される。第２係合部３２の上縁の一部は、後身頃１１の上縁に沿っている。
【００２３】  位置表示部３３は、第１係合部３１及び第２係合部３２のそれぞれに形成される表示部であり、印刷による色の変化や、面ファスナの縫合部のステッチ等で表される。位置表示部３３は、以下に説明する体温調節パッド収容部２０を取り付けるのに最適な位置を示す印である。
【００２４】  体温調節パッド収容部２０は、体温調節パッド５を内部に収容するとともに、衣服本体１０に着脱可能な平坦な袋体である。体温調節パッド収容部２０は、第１収容部２１と、第２収容部２２と、を有する。  図３Ａは、体温調節パッド収容部２０における第１収容部２１の表面２１ａを示す図であり、図３Ｂは裏面２１ｂを示す図である。
【００２５】  第１収容部２１は、その外形が第１係合部３１の形状に対応しており、第１係合部３１に係合可能である。図３Ａ及び図３Ｂに示すように、一方の側面部１２と他方の側面部１２に配置できるように対称な形状で一対形成される。第１収容部２１は、それぞれが、第１側縁２１１と、第２側縁２１２と、第３側縁２１３と、を有する。  第１側縁２１１は、第１収容部２１が第１係合部３１に係合した状態で、人体の脇の下に対応する側縁であり、背中側から脇の下の袖ぐりの曲線に沿って湾曲する。  第２側縁２１２は、第１側縁２１１よりも長く、第１側縁から離間しながら大きく湾曲する縁である。第２側縁２１２は、第１収容部２１が第１係合部３１に係合した状態では側面部１２の下縁１２ｂ側に位置する。  第３側縁２１３は、第１側縁２１１及び第２側縁２１２の端部を接続する。
【００２６】  第１収容部２１は、表面２１ａと、裏面２１ｂと、面ファスナ２１ｃと、を有する。  表面２１ａは、図３Ａに示すように、メッシュ素材で構成され、着用時に人体に当接する側に配置される。  裏面２１ｂは、図３Ｂに示すように、布地で構成され、着用時に係合部３０に係着される側に配置される。  表面２１ａ及び裏面２１ｂは、第３側縁２１３を除き、第１側縁２１１及び第２側縁２１２で縫合により接合される。  面ファスナ２１ｃは、裏面２１ｂに取り付けられており、ここでは、第１係合部３１のループファスナに係合するフックテープである。
【００２７】  第１収容部２１は、上述の通り、体温調節パッド５を出し入れ可能に構成される袋である。具体的には、第１収容部２１は、開口部２１４と、開口係合部２１５と、を有する。  第１収容部２１は、表面２１ａ及び裏面２１ｂが、第１側縁２１１及び第２側縁２１２で接合されることで、内部に体温調節パッド５を収容可能な空間が形成される。この空間は、体温調節パッド５を一つ十分に収容することのできる余裕がある。  開口部２１４は、表面２１ａ及び裏面２１ｂが第３側縁２１３で接合されないことにより、第３側縁２１３に形成される。  開口係合部２１５は、表面２１ａの裏面２１ｂ側と、裏面２１ｂの表面２１ａ側とに、向かい合わせで面ファスナが取り付けられ、開口部２１４を開閉可能に構成される。この場合、裏面２１ｂの表面２１ａ側に取り付けられる面ファスナの幅が、表面２１ａの裏面２１ｂ側に取り付けられる面ファスナの幅よりも狭いことで、広い面ファスナ上で狭い面ファスナを係合させる位置を変更することができ、係合位置が調整可能に構成される。
【００２８】  図４Ａは、体温調節パッド収容部２０における第２収容部２２の表面２２ａを示す図であり、図４Ｂ図は、裏面２２ｂを示す図である。  第２収容部２２は、その外形が第２係合部３２の形状に対応しており、第２係合部３２に係合可能である。第２収容部２２は、上方に向かって凸となる弧状に形成される。第２収容部２２は、一対の第１収容部２１の第３側縁２１３が互いに向き合った状態で接合された形状をしている。
【００２９】  第２収容部２２は、その周縁に外側縁２２１及び内側縁２２２を有する。  外側縁２２１は、上方に向かって凸となるように緩やかに湾曲する側縁である。  内側縁２２２は、外側縁２２１の内側で下方から外側縁２２１に向かって凸となるように湾曲する側縁である。内側縁２２２の端部と、外側縁２２１の端部とは接続される。
【００３０】  第２収容部２２は、また、表面２２ａと、裏面２２ｂと、面ファスナ２２ｃと、を有する。  表面２２ａは、図４Ａに示すように、メッシュ素材で構成され、着用時に人体に当接する側に配置される。図４Ａでは、説明の便宜のため、メッシュ素材を一部省略している。  裏面２２ｂは、図４Ｂに示すように、布地で構成され、着用時に係合部３０に係着される側に配置される。  表面２２ａ及び裏面２２ｂは、外側縁２２１及び内側縁２２２で縫合により接合される。  面ファスナ２２ｃは、裏面２２ｂに取り付けられており、ここでは、第２係合部３２のループファスナに係合するフックテープである。
【００３１】  第２収容部２２は、また、一対の収容室２２０と、開口部２２４ａ、２２４ｂと、開口係合部２２５と、パッド不配置領域２２６と、を有する。  一対の収容室２２０は、表面２２ａ及び裏面２２ｂが、外側縁２２１及び内側縁２２２に沿って接合されることで、内部に体温調節パッド５を収容可能に形成される空間である。一対の収容室２２０は、体温調節パッド５を第２収容部２２の左右方向の一方及び他方に収容することのできる余裕がある。
【００３２】  開口部２２４ａ、２２４ｂは、図４Ａに示すように、第２収容部２２における幅方向の中央部において、表面２２ａ及び裏面２２ｂが接合されないことにより、第２収容部２２の幅方向の一方側及び他方側の内部に一対の収容室２２０を形成しながら、中央部側が開口するように形成される。
【００３３】  開口係合部２２５は、開口部２２４ａ、２２４ｂにおける表面２２ａの裏面２２ｂ側と、裏面２２ｂの表面２２ａ側とに、向かい合わせで面ファスナが取り付けられ、開口部２２４ａ、２２４ｂを開閉可能に構成される。この場合、裏面２２ｂの表面２２ａ側に取り付けられる面ファスナの幅が、表面２２ａの裏面２２ｂ側に取り付けられる面ファスナの幅よりも広いことで、広い面ファスナ上で狭い面ファスナを係合させる位置を変更することができ、係合位置が調整可能に構成される。
【００３４】  パッド不配置領域２２６は、実質的には開口部２２４ａ、２２４ｂ及び開口係合部２２５により構成され、第２収容部２２に体温調節パッド５が収容された際に、体温調節パッド５が配置されない領域である。パッド不配置領域２２６は、一対の収容室２２０の間で上下方向に延びる。
【００３５】  体温調節パッド５は、図１に示すように、胴衣１の側面部１２において一対の第１収容部２１の一方及び他方にそれぞれ配置される。また、体温調節パッド５は、後身頃１１において第２収容部２２内の幅方向の一方及び他方に向い合せに一対配置される。  図５は、体温調節パッド５を示す正面図である。図５では、例として、体温調節パッド５が第２収容部２２に収容されることを想定して体温調節パッド５を一対示している。
【００３６】  体温調節パッド５は、表面部５ａと、裏面部５ｂと、保冷剤４と、を有する。  表面部５ａ及び裏面部５ｂは、同形の液不透過性シート状部材であり、周縁が互いに接合される。表面部５ａ及び裏面部５ｂは、同じ材質で構成される。このため、ここで便宜上表面部５ａ及び裏面部５ｂと呼んでいるが、体温調節パッド５を収容する向きによって、表面部５ａが裏面部５ｂに、裏面部５ｂが表面部５ａにもなり得る。  保冷剤４は、水及び高吸水性ポリマー、防腐剤、形状安定剤等を含んだゲル状の部材であり、表面部５ａ及び裏面部５ｂの間に配置されている。
【００３７】  体温調節パッド５は、パッド第１側縁５１と、パッド第２側縁５２と、パッド第３側縁５３と、を有して形成される。
【００３８】  パッド第１側縁５１は、脇の下の袖ぐり等に対応するように（図１参照）、緩やかに凹状に湾曲する側縁である。
【００３９】  パッド第３側縁５３は、図５に示すように、パッド第１側縁５１の一端５１ａから、パッド第１側縁５１となす角度θが９０度以上となるように、遠ざかる方向へ延びる、直線状の側縁である。
【００４０】  パッド第２側縁５２は、パッド第３側縁５３の端部５３ａから凸状に湾曲しながら、パッド第１側縁５１に近付くように延び、先端５２ａがパッド第１側縁５１の他端５１ｂに連続する側縁である。パッド第２側縁５２は、パッド第１側縁５１よりも曲率半径が小さい。パッド第２側縁５２は、緩縁部５２１と、急縁部５２２と、を有する。  緩縁部５２１は、パッド第３側縁５３の端部５３ａから緩く湾曲して延びる。  急縁部５２２は、緩縁部５２１の終端からパッド第１側縁５１の他端５１ｂまで延びる。急縁部５２２は、緩縁部５２１よりも曲率半径が小さく、緩縁部５２１における曲線よりもきつい曲線で、パッド第１側縁５１の他端５１ｂに向かって屈曲するように湾曲する。平面視で、急縁部５２２は、パッド第１側縁５１の一端５１ａよりも突出する。
【００４１】  以上の体温調節パッド５を備える胴衣１の使用方法について、図６及び図７を参照して説明する。  まず、肩紐部１３やベルト部１４に設けられている長さ調節機構１３０、１４０により肩紐部１３及びベルト部１４の長さを調節し、胴衣１が着用者の体に適合するように調整する。  また、予め体温調節パッド５を冷凍する等して、冷却しておく。  次に、体温調節パッド５を第１収容部２１の開口部２１４から第１収容部２１に収容し、開口部２１４に設けられた開口係合部２１５を係合させる。  同様に、体温調節パッド５を第２収容部２２の開口部２２４ａ、２２４ｂから第２収容部に収容し、開口部２２４ａ、２２４ｂに設けられた開口係合部２２５を係合させる。
【００４２】  ここで、着用者の体型に合わせて胴衣１の寸法は変更されるが、寸法が異なっていても所定の位置に合わせれば人体の所定の位置に合うと思われる基本的な位置に、位置表示部３３が設けられている。そこで、位置表示部３３をガイドとして利用しながら、体温調節パッド５を収容した第１収容部２１が着用者の背中から前側へ延びる側面部、特に腋の下に当たるように位置合わせをして、第１収容部２１を第１係合部３１に係合させる。また、同様に、位置表示部３３をガイドとして利用しながら、体温調節パッド５を収容した第２収容部２２が、着用者の背中の上部に当たるように位置合わせをして、第２収容部２２を第１係合部３１に係合させる。具体的には、第１収容部２１の裏面２１ｂの面ファスナ２１ｃを第１係合部３１に係合させ、第２収容部２２の裏面２２ｂの面ファスナ２２ｃを第２収容部２２に係合させる。
【００４３】  すると、第１収容部２１及び第２収容部２２の表面２１ａ、２２ａはメッシュ素材で構成されているため、体温調節パッド５の温度が人体に伝わる。体温調節パッド５は、人体の脇の下や、心臓の後ろ側等に当接されているため、血管等を通じて温度の変化が広範囲に及びやすくなる。
【００４４】  体温調節パッド５が、湾曲する側縁のパッド第１側縁５１と、パッド第１側縁５１の外側から回り込むように湾曲するパッド第１側縁５１と、パッド第１側縁５１及びパッド第２側縁５２の端部を有する直線状のパッド第３側縁５３を有していることで、パッド第１側縁５１を例えば脇の下の袖ぐりの形状に合わせて当接させることができる。また、パッド第３側縁５３を向い合せにすることで、左右対称で面積を二倍にすることができ、背中等の広い面積に用いることができる。
【００４５】  以上説明した本実施形態の体温調節パッド５を備える胴衣１によれば、以下のような作用効果を奏する。
【００４６】  （１）  保冷剤４を有する体温調節パッド５を備える胴衣１を、衣服本体１０と、体温調節パッド５を収容するとともに衣服本体１０に着脱可能な体温調節パッド収容部２０と、を含んで構成した。また、衣服本体１０の内面に、体温調節パッド収容部２０が係合可能な係合部３０を設け、係合部３０を、衣服本体１０における少なくとも人体の脇の下に対応する側面部１２に、体温調節パッド収容部２０と係合する第１係合部３１を含んで構成し、第１係合部３１は、体温調節パッド収容部２０の外形に対応した形状をとした。これにより、体温調節パッド５が人体の側面に沿って配置されるため、体温調節パッド５が人体にフィットする。また、脇の下のような太い動脈がある位置に体温調節パッド５を密着させることができるので、効率的に体温を調節することができる。さらに、体温調節パッド収容部２０の外形と、第１係合部３１の形状が対応していることにより、第１係合部３１が設けられた面の範囲内で体温調節パッド収容部２０の位置を微調整して位置合わせやすく、より人体にフィットさせることができる。
【００４７】  （２）  体温調節パッド収容部２０を、第１係合部３１に係合可能であるとともに、係合した状態で脇の下に対応する側縁が湾曲する第１側縁２１１を有する第１収容部２１を含んで構成した。これにより、第１側縁２１１は、腋の下の袖ぐりに適合するので、太い動脈に体温調節パッド５を当てることができ、上記と同様の効果を奏する。
【００４８】  （３）  係合部３０を、衣服本体１０の内面における後身頃の上部に配置される第２係合部３２を含んで構成した。これにより、人体の心臓に近い位置を冷却することができ、上記と同様の効果を奏する。
【００４９】  （４）体温調節パッド収容部２０を、第２係合部３２に係合可能な第２収容部２２を含んで構成し、第２収容部２２を、体温調節パッド５を衣服本体１０における左右方向の一方及び他方に配置する一対の収容室２２０と、一対の収容室２２０の間で上下方向に延びるパッド不配置領域２２６と、を含んで構成した。これにより、一つの形状の体温調節パッド５を、複数用いることで、簡易な構成で広い面積を冷却することができる。また、人体は、胴体から左右に腕や足が延びており動きも左右で分かれることがあるが、一対の収容室２２０の間にパッド不配置領域２２６が設けられることで、第２収容部２２は、パッド不配置領域２２６を起点として左側及び右側に折れ、それぞれ独立して変形することができる。このため、胴衣１を着用した際、動きやすい。
【００５０】  （５）  係合部３０を、体温調節パッド収容部２０を取り付けるために最適の位置を示す位置表示部３３を含んで構成し、衣服本体１０を、着用者の体型に応じて寸法を変更させた。これにより、それぞれ寸法の異なる衣服本体１０に対して、同じ体温調節パッド５及び体温調節パッド収容部２０を用いることができる。また、それぞれの寸法の衣服本体１０において、体温調節パッド収容部２０を最適な位置に取り付けることができるため、より効率的に体温を調節することができる。
【００５１】  以上、本発明の体温調節パッド５を備える胴衣１の好ましい一実施形態につき説明したが、本発明は、上述の実施形態及び実施形態に制限されるものではなく、適宜変更が可能である。
【００５２】  図８Ａは、他の実施形態における第２収容部を示す表面２２Ａａを示す図であり、図８Ｂ図は、裏面２２Ａｂを示す図である。  図８Ａ及び図８Ｂに示すように、第２収容部２２Ａを、上記説明した第１収容部２１を構成する袋を２個並べることで形成してもよい。すなわち、第１収容部２１の方向を変えて配置するだけで、別形状の第２収容部２２を新たに作成せずとも、上記説明した第２収容部２２と同じ機能を発揮することができる。  この実施形態によれば、同じ形状の第１収容部を多数用意するだけで、人体の背中及び側面部の両方を冷却することができる。また、使用者が第１収容部を紛失したり、使い古して新しいものと取り替えたくなった場合に、第１収容部を１個から補充購入することができ、利便性が高まる。
【００５３】  また、上記実施形態では、体温調節パッド５として保冷剤４を有し、人体の体温を冷却させるものとして説明したが、これに限られない。体温調節パッドは、蓄熱剤を有し、低温環境下で人体の体温を暖めるように構成してもよい。
【００５４】  また、上記実施形態では、位置表示部３３は、寸法の異なる胴衣１ごとに、最適の位置を示すことを例として説明しているが、これに限られない。例えば、一つの胴衣１において、体型が大きな人、中肉中背の人、小柄な人、又は大人と子供が着用した場合等、着用者の体型に応じて体温調節パッド収容部２０の配置が変わるような場合に、一つの胴衣１内において最適の位置を複数表示するように構成してもよい。
【００５５】  また、上記実施形態では、体温調節パッド５を予め凍らせて、その後、体温調節パッド収容部２０に収容する使用方法について説明したが、これに限られない。体温調節パッド５を体温調節パッド収容部２０に収容した状態で、体温調節パッド収容部２０ごと凍らせておいてもよい。このようにすることで、装着時間を短縮したり、装着にかかる手間を省くことができる。さらに、体温調節パッド５は、形状を自然状態のまま凍らせなくてもよい。予め、人体に沿うように配置した場合の人体の曲面に沿うように曲げた状態で凍らせておくことで、より人体にフィットするとともに、体温調節の効率を上げることができる。
【００５６】  また、上記実施形態では、開口係合部２１５は、開口部２１４に向い合せで取り付けた面ファスナにより構成され、第１収容部２１を第１係合部３１に係合させる面ファスナ２１ｃとは異なる面ファスナで構成されているが、これに限られない。  開口係合部２１５の面ファスナと、第１収容部２１を第１係合部３１に係合させる面ファスナ２１ｃ（例えば、フックテープ）とを、同じ面ファスナにより構成してもよい。
【００５７】  具体的には、第１収容部２１の裏面２１ｂにおいて、開口部２１４に沿う縁に、幅の広い面ファスナ（フックテープ）を取り付ける。また、第１収容部２１の表面２１ａを構成する素材を、開口部２１４から遠ざかる方向に延出させて、蓋になる部分を形成する。この蓋の裏面側に面ファスナ（ループファスナ）を取り付け、表面２１ａから裏面２１ｂ側へ折り返すことで開口部２１４を蓋で覆うことができるようにする。
【００５８】  このとき、裏面２１ｂに取り付けてあるフックテープが幅広なので、開口部２１４の蓋を折り返してループファスナを係合させても、まだ蓋によって覆われない部分が残る。この蓋に覆われない部分のフックテープを、第１係合部３１に係合させることで、開口部２１４を塞ぐための面ファスナと、第１収容部２１を第１係合部３１に係合させる面ファスナとを兼用させることができる。
【００５９】  また、上記実施形態では、体温調節パッド５は、第１収容部２１に一つずつ、第２収容部２２の各収容室２２０に一つずつ収容されているが、これに限られない。それぞれ二つずつ収容してもよい。二つずつ収容することで、冷却時間を長くすることができる。
【符号の説明】
【００６０】  １      胴衣（衣服）  ４      保冷剤（冷却材）  ５      体温調節パッド  １２    側面部  ２０    体温調節パッド収容部  ２１    第１収容部  ２２    第２収容部  ３０    係合部  ３１    第１係合部  ３２    第２係合部  ３３    位置表示部  ２２０  収容室  ２１１  第１側縁  ２２６  パッド不配置領域
【図１】
0006665205.tif 000002
【図２】
0006665205.tif 000003
【図３Ａ】
0006665205.tif 000004
【図３Ｂ】
0006665205.tif 000005
【図４Ａ】
0006665205.tif 000006
【図４Ｂ】
0006665205.tif 000007
【図５】
0006665205.tif 000008
【図６】
0006665205.tif 000009
【図７】
0006665205.tif 000010
【図８Ａ】
0006665205.tif 000011
【図８Ｂ】
0006665205.tif 000012